(57)【特許請求の範囲】
【請求項１】
水が収容された水槽内で浮遊する浮遊体と、
前記浮遊体に挿入設置され、前記浮遊体の下部に流入する水を超音波振動によって水粒子状態で霧化する超音波発生部と、
前記浮遊体と着脱可能に結合され、前記超音波発生部の上部に設置されて前記水粒子を案内し、側部にファン設置孔が水平に貫通形成される案内管と、
前記ファン設置孔内に結合され、前記案内管の内部にエアを噴射して、前記水粒子を前記案内管の上部に排出する送風ファンと、
前記送風ファンが装着されたファン設置孔と流通可能に前記浮遊体の上面に形成された排出溝とを含むことを特徴とする浮体式加湿器。
【請求項２】
前記浮遊体の上面は、端部から中央部にいくほど下方に傾斜して形成され、
前記排出溝は、前記浮遊体の上面に沿って中央部にいくほど下方に傾斜して形成され、逆流して前記浮遊体の上面に流入する水を排出させることを特徴とする請求項１に記載の浮体式加湿器。
【請求項３】
前記浮遊体の底面には、複数の突起が互いに一定間隔を置いて形成されていることを特徴とする請求項１に記載の浮体式加湿器。
【請求項４】
前記浮遊体の底面には、前記複数の突起間に形成され、互いに一定間隔を有する複数の水流入孔が具備されることを特徴とする請求項３に記載の浮体式加湿器。
【請求項５】
前記案内管は、前記水粒子が、水平方向に沿って円をなす内部のガイドホールに沿って上方移動するように案内し、
前記送風ファンは、前記ガイドホールの内周面にエアーを噴射して、前記水粒子がエアーの回転渦流によって上方排出されるようにすることを特徴とする請求項１に記載の浮体式加湿器。
【請求項６】
前記送風ファンは、中心が前記ガイドホールの垂直中心軸線とずれて配置され、前記ガイドホールの一側壁面にエアを斜めに噴射することを特徴とする請求項５に記載の浮体式加湿器。
【請求項７】
前記送風ファンは、前記ガイドホールの壁面に向かって上方傾斜してエアーを噴射することを特徴とする請求項６に記載の浮体式加湿器。
【請求項８】
前記ガイドホールの内周面には、上下方向に沿って螺旋をなす案内溝または案内突起が形成されることを特徴とする請求項５に記載の浮体式加湿器。
【請求項９】
前記ガイドホールは、上部にいくほど直径が徐々に小さくなることを特徴とする請求項５に記載の浮体式加湿器。
【請求項１０】
前記超音波発生部は、前記送風ファンのエア吐出方向とずれた方向に水粒子を排出させることを特徴とする請求項１に記載の浮体式加湿器。
【発明の詳細な説明】
【技術分野】
【０００１】
本発明は、浮体式加湿器に関し、さらに詳しくは、浮遊体の内部に流入された水を外部に容易に排出可能な構造を有する浮体式加湿器に関する。
【背景技術】
【０００２】
一般的に、加湿器は、乾燥した室内に湿気を提供するための装置であって、加湿方式によって、超音波を利用した超音波式加湿器と、ヒーターを利用した加熱式加湿器とに区分される。
【０００３】
先ず、超音波加湿器は、水槽に設置された超音波振動子を利用して水を微細な水滴に変化させた後、送風ファンを利用して微細な水滴を霧化状態で噴霧する方式であることに対し、加熱式加湿器は、水槽に設置されたヒーターの熱を利用して水を蒸気化させた後、送風ファンを利用して蒸気を霧化状態で噴霧する方式である。
【０００４】
上記の２種類の加湿器は、固定的な設置面に設置した状態で使用するもので、細菌の増殖及び洗浄問題が大きな短所として浮上しており、これを解消するために、比較的洗浄などの管理が簡便な天然式加湿器が多く利用されている。
【０００５】
前記天然加湿器の中では、比較的洗浄などの管理が簡便な浮体式加湿器が多く使用されるが、前記浮体式加湿器は、水が収容された水槽の内部に浮遊した状態で移動可能に設置されるという特徴がある。
【０００６】
このような従来の浮遊式加湿器は、水槽の内部に一定の高さで浮遊しながら、超音波振動子を利用して内部に流入する水を微細な水粒子に変化させた後、送風ファンを利用して水粒子を霧化状態で排出する方式を有する。
【０００７】
しかし、従来の浮体式加湿器は、水槽に格納された水が加湿器の内部に流入した場合に、前記流入した水を加湿器の外部に排出可能な構造が不十分であった。従って、従来の浮体式加湿器は、加湿器の内部に流入した水の荷重によって加湿器が水に沈むという問題点があった。
【０００８】
本発明と関連した先行文献としては、特許文献１があり、前記先行文献には、浮体式加湿器が開示されている。
【先行技術文献】
【特許文献】
【０００９】
【特許文献１】韓国登録特許第１０−１３７４９６７号公報
【発明の概要】
【発明が解決しようとする課題】
【００１０】
本発明の目的は、浮遊体の上面に流入した水を容易に浮遊体の外部に排出させることができ、水槽に格納された水の水面高さが低くなることにより発生する加湿器の不均衡姿勢を改善することができる浮体式加湿器を提供することにある。
【課題を解決するための手段】
【００１１】
本発明の一実施例による浮体式加湿器は、水が収容された水槽内で浮遊する浮遊体と、前記浮遊体に挿入設置され、前記浮遊体の下部に流入する水を超音波振動によって水粒子状態で霧化する超音波発生部と、前記浮遊体と着脱可能に結合され、前記超音波発生部の上部に設置されて前記水粒子を案内し、側部にファン設置孔が水平に貫通形成される案内管と、前記ファン設置孔内に結合され、前記案内管の内部にエアを噴射して、前記水粒子を前記案内管の上部に排出する送風ファンと、前記送風ファンが装着されたファン設置孔と流通可能に前記浮遊体の上面に形成される排出溝とを含む。
【００１２】
前記浮遊体の上面は、端部から中央部にいくほど下方に傾斜して形成され、前記排出溝は、前記浮遊体の上面に沿って中央部にいくほど下方に傾斜して形成され、逆流して前記浮遊体の上面に流入する水を排出させることができる。
【００１３】
前記浮遊体の底面には、複数の突起が互いに一定間隔を置いて形成されることができる。
【００１４】
前記浮遊体の底面には、前記複数の突起間に形成され、互いに一定間隔を有する複数の水流入孔が具備されることができる。
【００１５】
前記案内管は、前記水粒子が水平方向に沿って円をなす内部のガイドホールに沿って上方移動するように案内し、前記送風ファンは、前記ガイドホールの内周面にエアーを噴射して、前記水粒子がエアーの回転渦流によって上方排出されるようにすることができる。
【００１６】
前記送風ファンは、中心が前記ガイドホールの垂直中心軸線とずれて配置され、前記ガイドホールの一側壁面にエアを斜めに噴射することができる。
【００１７】
前記送風ファンは、前記ガイドホールの壁面に向かって上方傾斜してエアーを噴射することができる。
【００１８】
前記ガイドホールの内周面には、上下方向に沿って螺旋をなす案内溝または案内突起が形成されることができる。
【００１９】
前記ガイドホールは、上部にいくほど直径が徐々に小さくなることができる。
【００２０】
前記超音波発生部は、前記送風ファンのエア吐出方向とずれた方向に水粒子を排出させることができる。
【発明の効果】
【００２１】
本発明の一実施例によると、浮遊体の上面に流入された水を容易に浮遊体の外部に排出させることができ、これにより、浮遊体が水槽内で水中に沈むことを防止することができる。
【００２２】
本発明の一実施例によると、水槽に格納された水の水面高さが低くなることによって発生する加湿器の不均衡姿勢を複数の突起を通じて改善して、加湿効果を持続的に維持することができる。
【図面の簡単な説明】
【００２３】
【図１】本発明の一実施例による浮体式加湿器の斜視図である。
【図２】本発明の一実施例による浮体式加湿器の底面図である。
【図３】本発明の一実施例による浮体式加湿器の正断面図である。
【図４】本発明の一実施例による浮体式加湿器の送風ファンを斜めに設置した状態を示すための平断面図である。
【図５】本発明の一実施例による浮体式加湿器を水槽に設置した状態を示すための使用状態図である。
【発明を実施するための形態】
【００２４】
以下に、添付の図面を参照して、本発明による好ましい実施例を詳しく説明する。
【００２５】
本発明の利点及び特徴、並びにそれを達成する方法は、添付の図面と共に詳しく後述されている実施例を参照すれば明確になるであろう。
【００２６】
しかし、本発明は、以下で開示される実施例によって限定されるものではなく、互いに異なる多様な形態で具現されることができ、単に本実施例は、本発明の開示を完全にし、本発明が属する技術分野で通常の知識を持った者に発明の範囲を完全に知らせるために提供されるものであり、本発明は、特許請求項の範囲によって定義されるだけである。
【００２７】
また、本発明を説明するにあたって、関連の公知技術などが本発明の要旨を曖昧にし得ると判断される場合、それに関する詳しい説明は省略する。
【００２８】
図１は、本発明の一実施例による浮体式加湿器の斜視図であり、図２は、本発明の一実施例による浮体式加湿器の底面図であり、図３は、本発明の一実施例による浮体式加湿器の正断面図である。そして、図４は、本発明の一実施例による浮体式加湿器の送風ファンを斜めに設置した状態を示すための平断面図であり、図５は、本発明の一実施例による浮体式加湿器を水槽に設置した状態を示すための使用状態図である。
【００２９】
図１乃至図５を参照すると、本発明の一実施例による浮体式加湿器１００は、浮遊体１１０、超音波発生部１２０、案内管１３０、送風ファン１４０、及び排出溝１５０を含む。
【００３０】
前記浮遊体１１０は、水Ｗが収容された水槽５１０内で浮遊する。そのため、前記浮遊体１１０の上面は、端部から中央部にいくほど下方に傾斜して形成され、その内部には、浮力を発生させるための浮力空間１１２が形成されることができる。
【００３１】
例えば、前記浮遊体１１０は、前記水槽５１０に格納された水Ｗに浮遊できるように、内部に浮力を発生させるための浮力空間１１２が形成された皿状に形成されることができる。
【００３２】
従って、前記浮遊体１１０の上面に流入された水は、前記浮遊体１１０の上面形状によって前記浮遊体１１０の中央部に容易に捕集されることができる。
【００３３】
前記浮遊体１１０の底面には、複数の突起１１４が互いに一定間隔を置いて形成されることができ、前記複数の突起１１４の間には、互いに一定間隔を有する複数の水流入孔１１６が形成されることができる。
【００３４】
ここで、前記突起１１４は、水槽５１０に水Ｗがない場合、前記浮遊体１１０を垂直に立たせ、前記水槽５１０の床面と前記浮遊体１１０の底面との間に、水または空気が流入または排出可能な隙間を形成する。
【００３５】
そして、前記水流入孔１１６には、前記突起１１４に形成された隙間を通じて流入または排出される水または空気が通過することができる。
【００３６】
前記超音波発生部１２０は、前記浮遊体１１０に挿入設置され、前記浮遊体１１０の下部に流入する水を超音波振動によって水粒子状態で霧化させる。即ち、前記超音波発生部１２０は、前記浮遊体１１０の底面に形成された複数の水流入孔１１６を通じて流入される水を霧化することができる。
【００３７】
ここで、前記超音波発生部１２０には、別途の電源ケーブルＣが連結されることができ、前記電源ケーブルＣは、前記浮遊体１１０を通じて外部に延長することができる。
【００３８】
そして、前記超音波発生部１２０は、水粒子を前記ガイドホール１３２の垂直中心軸線方向に吐出すことができる。
【００３９】
即ち、前記超音波発生部１２０は、前記送風ファン１４０のエア吐出方向とずれた方向に水粒子を排出させることができる。
【００４０】
前記案内管１３０は、前記浮遊体１１０から上方に延長して垂直に設置されるもので、前記浮遊体１１０と着脱可能に結合される。前記案内管１３０は、前記超音波発生部１２０の上部に位置する。
【００４１】
そして、前記案内管１３０の側部には、前記送風ファン１４０が設置されることができるようにファン設置孔１３４が水平に貫通形成される。
【００４２】
前記案内管１３０は、前記超音波発生部１２０の上部に設置されて前記水粒子を案内する役割をする。
【００４３】
この時、前記案内管１３０は、前記水粒子が水平方向に沿って円をなす内部のガイドホール１３２に沿って上方移動するように案内することができる。
【００４４】
ここで、前記ガイドホール１３２は、上部にいくほど直径が徐々に小さくなる形態を有することができ、前記案内管１３０の上端には、排出口が外部に貫通形成される。
【００４５】
このように、前記ガイドホール１３２は上部にいくほど直径が小さくなるため、前記送風ファン１４０からエアが送風される場合、螺旋状に回転するエアＡは、直径の小さい部位を通過する際に回転速度が増加することができる。
【００４６】
従って、前記ガイドホール１３２の吐出部位では、さらに大きい回転渦流が発生するため、加湿距離を増加させる効果を期待することができる。
【００４７】
また、前記ガイドホール１３２の内周面には、図示してはいないが、上下方向に沿って螺旋をなす案内溝または案内突起が形成されることができる。
【００４８】
前記送風ファン１４０は、前記ファン設置孔１３４内に水平に結合され、前記案内管１３０の内部にエアを噴射して、前記水粒子を前記案内管１３０の上部に排出する。
【００４９】
この時、前記送風ファン１４０は、前記ガイドホール１３２の内周面にエアーを噴射して、前記水粒子がエアーの回転渦流によって上方排出されるようにすることができる。
【００５０】
そのため、前記送風ファン１４０は、回転翼１４２と駆動モーター１４４とで構成されることができ、前記駆動モーター１４４には電源ケーブルＣが連結されることができる。
【００５１】
前記送風ファン１４０は、エアーが噴射される吐出口の中心が前記ガイドホール１３２の垂直中心軸線とずれて配置され、前記ガイドホール１３２の一側壁面にエアを斜めに噴射することができる。
【００５２】
前記ガイドホール１３２の内周面に斜めにぶつかったエアは、前記ガイドホール１３２の内周面に沿って一方向に回転する。この際、エアーの回転渦流の発生により、さらに多くの空気の吐出しが可能であり、これにより、水粒子がエアーによって水滴に変わることを防止して、より多くの加湿量を得ることができる。
【００５３】
また、前記送風ファン１４０は、前記ガイドホール１３２の壁面に向かって上方傾斜してエアーを噴射することができる。
【００５４】
この場合、前記送風ファン１４０は、エアーと水粒子が排出される方向に方向性を有するため、エアと水粒子の排出速度をさらに向上させることができる。
【００５５】
このように、本発明の一実施例では、前記送風ファン１４０が方向性を有するようにエアーを噴射して、水粒子がエアーの回転渦流によって外部に排出されるようにすることができる。
【００５６】
これにより、本発明の一実施例によると、多量のエア及び水粒子の吐出しが可能であり、水粒子とエアが向かい合わないため、水粒子が水滴状に変わることを防止することができ、加湿量を増加させることができる。
【００５７】
また、本発明の一実施例によると、前記送風ファン１４０の送風方向が前記ガイドホール１３２の内周面に向かっているため、エアーを送風する過程で衝撃が発生せず、これにより騒音の発生を最小化することができる。
【００５８】
前記排出溝１５０は、前記送風ファン１４０が装着されたファン設置孔１３４と流通可能に前記浮遊体１１０の上面に形成される。
【００５９】
前記排出溝１５０は、前記浮遊体１１０の上面に沿って中央部にいくほど下方に傾斜して形成され、逆流して前記浮遊体１１０の上面に流入する水を再び前記浮遊体１１０の底面に形成された水流入孔１１６に排出させることができる。
【００６０】
これまで本発明の一実施例による浮体式加湿器に関する具体的な実施例について説明したが、本発明の範囲から逸脱しない限度内では様々な実施変形が可能なことは自明である。
【００６１】
従って、本発明の範囲は、説明された実施例に限られて伝えられてはならず、後述する特許請求の範囲だけでなく、この特許請求の範囲と均等なものによって定められるべきである。
【００６２】
即ち、前述した実施例は全ての面で例示的なものであり、限定的ではないと理解されるべきであり、本発明の範囲は、詳細な説明より後述する特許請求の範囲によって表わされ、その特許請求の範囲の意味及び範囲、並びにその等価概念から導出される全ての変更又は変形された形が本発明の範囲に含まれると解釈されるべきである。
【図１】
0006467729.tif 000002
【図２】
0006467729.tif 000003
【図３】
0006467729.tif 000004
【図４】
0006467729.tif 000005
【図５】
0006467729.tif 000006